(57)【要約】【課題】  テレビ受信装置のチャンネル選択を迅速かつ簡単に行うことのできるビデオテープレコーダ用リモートコントローラを提供すること。【解決手段】  ビデオテープレコーダにおけるチャンネルを直接選択可能な直接選局キーの押下状態を所定時間以上継続させると（Ｓ６：Ｙｅｓ）、当該直接選局キーに対応する選局操作信号がテレビ受信装置操作コードによって送信されるようになっている（Ｓ７）。【選択図】  図３
2007081522.tif 000002
【特許請求の範囲】
【請求項１】
放送波を受信可能な放送波受信装置に接続されて当該放送波に担持されるコンテンツを記録可能な記録装置を遠隔操作可能な記録装置用リモートコントローラであって、
前記記録装置操作用の記録装置操作コードに加えて前記放送波受信装置操作用の放送波受信装置操作コードを格納する操作コード格納手段と、
前記記録装置におけるチャンネルを直接選択可能な選局キーの操作状態を検出する操作状態検出手段と、
前記操作状態検出手段における検出結果に基づいて、前記選局キーの操作状態が前記記録装置における通常の選局操作状態であるか否かを判定する操作状態判定手段と、
前記操作状態判定手段によって前記選局キーの操作状態が前記記録装置における通常の選局操作状態でないと判定されると、前記操作コード格納手段に格納されている前記放送波受信装置操作コードによって前記選局キーに対応する選局操作信号を送信する操作信号送信手段と、
を備えることを特徴とする記録装置用リモートコントローラ。
【請求項２】
請求項１に記載の記録装置用リモートコントローラにおいて、
前記操作状態判定手段は、前記選局キーの押下状態が所定時間以上継続すると、当該選局キーの操作状態が前記記録装置における通常の選局操作状態ではないと判定する、
ことを特徴とする記録装置用リモートコントローラ。
【請求項３】
請求項１または請求項２に記載の記録装置用リモートコントローラにおいて、
前記操作状態判定手段は、前記選局キーが所定回数連続して押下されると、当該選局キーの操作状態が前記記録装置における通常の選局操作状態ではないと判定する、
ことを特徴とする記録装置用リモートコントローラ。
【発明の詳細な説明】
【技術分野】
【０００１】
本発明は、記録装置用リモートコントローラに関する。
【背景技術】
【０００２】
従来、テレビ放送波を受信可能なテレビ受信装置（放送波受信装置）に接続されて当該テレビ放送波に担持されるテレビ番組を記録可能なビデオテープレコーダ（記録装置）が知られている。ビデオテープレコーダは、一般に、当該ビデオテープレコーダを遠隔操作するためのリモートコントローラ（記録装置用リモートコントローラ）とセットで販売されている。
【０００３】
近年、ビデオテープレコーダ用のリモートコントローラによって、ビデオテープレコーダのみならずテレビ受信装置の操作も行うことができるようになっている。すなわち、ビデオテープレコーダ用のリモートコントローラには、ビデオテープレコーダ操作用の操作キー群とは別に、テレビ受信装置操作用の操作キー群が設けられており、当該操作キー群における操作キーを操作することにより、テレビ受信装置の操作を行うことができる（例えば、特許文献１参照）。
【０００４】
【特許文献１】特開平８−９８０５０号公報（第３頁，図７（ｂ））
【発明の開示】
【発明が解決しようとする課題】
【０００５】
ところで、ビデオテープレコーダ用のリモートコントローラは、主としてビデオテープレコーダの操作を行うためのものであるので、ビデオテープレコーダ用の操作キー群のキーを充実させる必要がある。その一方で、テレビ受信装置操作用の操作キー群のキーは必要最小限のものに抑えざるを得ない。このため、キー数が多いチャンネル選択用の数字キー（例えば、１〜１２の数字キー）は、テレビ受信装置操作用の操作キー群には設けられず、その代わりに、テレビ受信装置のチャンネル選択用のアップ／ダウンキーが設けられるのが一般的である。
【０００６】
しかしながら、近年、テレビ受信装置によって受信可能なチャンネル数は増加する一途であり、ビデオテープレコーダ用のリモートコントローラを用いてテレビ受信装置のチャンネル選択をする場合に、アップ／ダウンキーでは時間がかかり、煩雑である。
【０００７】
本発明の目的は、放送波受信装置のチャンネル選択を迅速かつ簡単に行うことのできる記録装置用リモートコントローラを提供することである。
【課題を解決するための手段】
【０００８】
本発明の記録装置用リモートコントローラは、放送波を受信可能な放送波受信装置に接続されて当該放送波に担持されるコンテンツを記録可能な記録装置を遠隔操作可能な記録装置用リモートコントローラであって、前記記録装置操作用の記録装置操作コードに加えて前記放送波受信装置操作用の放送波受信装置操作コードを格納する操作コード格納手段と、前記記録装置におけるチャンネルを直接選択可能な選局キーの操作状態を検出する操作状態検出手段と、前記操作状態検出手段における検出結果に基づいて、前記選局キーの操作状態が前記記録装置における通常の選局操作状態であるか否かを判定する操作状態判定手段と、前記操作状態判定手段によって前記選局キーの操作状態が前記記録装置における通常の選局操作状態でないと判定されると、前記操作コード格納手段に格納されている前記放送波受信装置操作コードによって前記選局キーに対応する選局操作信号を送信する操作信号送信手段と、を備えることを特徴とする。
【０００９】
このような構成の本発明の記録装置操作用リモートコントローラには、記録装置におけるチャンネルを直接選択可能な選局キー（以下、直接選局キーともいう）が設けられている。ここで、「直接選択可能」とは、当該直接選局キーを１回操作すれば、記録装置におけるチャンネルを所望のチャンネルに切り替えられることを意味する。このような直接選局キーとしては、例えば、チャンネルの番号が付された数字キーが挙げられる。なお、背景技術において説明したチャンネル選択用のアップ／ダウンキーは、「直接選局キー」に該当しない。
【００１０】
本発明の記録装置操作用リモートコントローラでは、記録装置用の直接選局キーの操作状態が通常の選局操作状態であれば、当該直接選局キーに対応する選局操作信号が記録装置操作コードによって送信されて記録装置における選局操作が通常通り行われるが、当該直接選局キーの操作状態が通常の選局操作状態と異なる場合には、当該直接選局キーに対応する選局操作信号が放送波受信装置操作コードによって送信されて放送波受信装置における選局操作が行われるようになっている。このように、本発明の記録装置操作用リモートコントローラによれば、記録装置用の直接選局キーによって、記録装置における選局操作のみならず、放送波受信装置における選局操作も行うことができる。ここで、背景技術において説明したアップ／ダウンキーを放送波受信装置における選局操作のために使用する必要がないから、放送波受信装置の選局を迅速かつ簡単に行うことができる。
【００１１】
以上のように、本発明の記録装置操作用リモコンでは、記録装置用の直接選局キーの操作状態が「通常」であるか否かに応じて、選局操作信号を送信する際の操作コードが使い分けられている。ここで、操作状態が「通常」である場合とは、例えば、直接選局キーの押下操作において、押下状態の継続時間が所定時間未満，押下回数が１回の場合を意味する。
【００１２】
本発明の記録装置用リモートコントローラでは、前記操作状態判定手段は、前記選局キーの押下状態が所定時間以上継続すると、当該選局キーの操作状態が前記記録装置における通常の選局操作状態ではないと判定する、ことが好ましい。
【００１３】
このような構成の記録装置用リモートコントローラでは、記録装置用の直接選局キーの押下状態が所定時間以上継続すると、当該直接選局キーの操作状態が「通常」ではないと判定され、当該直接選局キーに対応する選局操作信号が放送波受信装置操作コードによって送信されて放送波受信装置における選局操作が行われるようになっている。
【００１４】
本発明の記録装置用リモートコントローラでは、前記操作状態判定手段は、前記選局キーが所定回数連続して押下されると、当該選局キーの操作状態が前記記録装置における通常の選局操作状態ではないと判定する、ことが好ましい。
【００１５】
このような構成の記録装置用リモートコントローラでは、記録装置用の直接選局キーが所定回数連続して押下されると、当該直接選局キーの操作状態が「通常」ではないと判定され、当該直接選局キーに対応する選局操作信号が放送波受信装置操作コードによって送信されて放送波受信装置における選局操作が行われるようになっている。
【発明を実施するための最良の形態】
【００１６】
続いて、本発明の実施形態を図面に基づいて説明する。
＜第１実施形態＞
図１は、本発明の第１実施形態に係る記録装置用リモートコントローラとしてのビデオテープレコーダ用リモートコントローラ１の外観の一部を示す平面図である。
【００１７】
リモートコントローラ１は、主として記録装置としてのビデオテープレコーダ８（図２参照）の遠隔操作を行うためのものであるが、ビデオテープレコーダ８に接続されるテレビ受信装置９（図２参照）の遠隔操作も行うことができる。すなわち、リモートコントローラ１には、ビデオテープレコーダ８操作用の操作キー群２とは別に、テレビ受信装置９操作用の操作キー群３が設けられており、当該操作キー群３における操作キーを操作することにより、テレビ受信装置９の操作を行うことができる。
【００１８】
ビデオテープレコーダ８用の操作キー群２は、ビデオテープレコーダ８におけるチャンネルを直接選択可能な直接選局キー２１と、ビデオテープレコーダ８におけるチャンネルを１つずつ遷移させるためのチャンネルアップ／ダウンキー２２とを備えている。なお、図示は省略するが、操作キー群２には、他にもビデオテープの再生等を行うためのキーなどが設けられている。
【００１９】
各直接選局キー２１には、チャンネルに対応する１〜１２の数字が付されている。ユーザは、所望のチャンネルに対応する数字が付された直接選局キー２１の押下操作によって、ビデオテープレコーダ８におけるチャンネルを所望のチャンネルに切り替えることができる。
チャンネルアップ／ダウンキー２２は、ビデオテープレコーダ８におけるチャンネルを１つずつ上げるアップキー２２１と、１つずつ下げるダウンキー２２２とによって構成されている。
【００２０】
テレビ受信装置９用の操作キー群３は、テレビ受信装置９の電源のオン／オフ切替を行うための電源キー３１と、テレビ受信装置９に入力される画像音声信号（例えば、チューナからの信号，ビデオテープレコーダ８等の外部機器からの信号）の切替を行うための入力切替キー３２と、テレビ受信装置９における出力音量を１つずつ遷移させるための音量アップ／ダウンキー３３と、テレビ受信装置９におけるチャンネルを１つずつ遷移させるためのチャンネルアップ／ダウンキー３４とを備えている。
【００２１】
音量アップ／ダウンキー３３は、テレビ受信装置９における音量を１つずつ上げるアップキー３３１と、１つずつ下げるダウンキー３３２とによって構成されている。
チャンネルアップ／ダウンキー３４は、テレビ受信装置９におけるチャンネルを１つずつ上げるアップキー３４１と、１つずつ下げるダウンキー３４２とによって構成されている。
【００２２】
以上のように、ビデオテープレコーダ８用の操作キー群２には、ビデオテープレコーダ８におけるチャンネルを選択するためのキーとして直接選局キー２１とチャンネルアップ／ダウンキー２２とが設けられているが、テレビ受信装置９用の操作キー群３には、テレビ受信装置９におけるチャンネルを選択するためのキーとしてチャンネルアップ／ダウンキー３４が設けられているのみで、直接選局キーは設けられていない。
これは、リモートコントローラ１が、主としてビデオテープレコーダ８の操作を行うためのものであり、ビデオテープレコーダ８用の操作キー群２のキーを充実させる必要がある一方で、テレビ受信装置９操作用の操作キー群３のキーは必要最小限のものに抑えざるを得ないところ、キー数が多い直接選局キーを操作キー群３に設けることには無理があるからである。
【００２３】
図２は、ビデオテープレコーダ用リモートコントローラ１の内部構成を示す機能的ブロック図である。
リモートコントローラ１は、キー入力手段４と、制御手段５と、操作コード格納手段６と、操作信号送信手段７とを備えている。
【００２４】
キー入力手段４は、操作キー群２，３におけるキー入力操作を検出して当該キー入力情報を制御手段５に入力する手段である。
【００２５】
制御手段５は、リモートコントローラ１における全般的な制御を行う手段であり、機能的には、操作状態検出手段５１と、操作状態判定手段５２とを備えて構成されている。
【００２６】
操作状態検出手段５１は、ビデオテープレコーダ８用の操作キー群２における直接選局キー２１の操作状態を検出する手段であり、機能的には、押下状態継続時間計測手段５１１を備えて構成されている。
押下状態継続時間計測手段５１１は、直接選局キー２１の押下状態の継続時間を計測する手段である。
【００２７】
操作状態判定手段５２は、操作状態検出手段５１における検出結果に基づいて、直接選局キー２１の操作状態がビデオテープレコーダ８における通常の選局操作状態であるか否かを判定する手段であり、機能的には、押下状態継続時間判定手段５２１を備えて構成されている。
押下状態継続時間判定手段５２１は、押下状態継続時間計測手段５１１における計測時間が所定時間以上になると、直接選局キー２１の操作状態がビデオテープレコーダ８における通常の選局操作状態ではないと判定する手段である。
【００２８】
操作コード格納手段６は、ビデオテープレコーダ８操作用の操作コード６１（本発明における記録装置操作コードに相当）と、テレビ受信装置９操作用の操作コード６２（本発明における放送波受信装置操作コードに相当）とを格納する手段である。
【００２９】
操作信号送信手段７は、制御手段５による制御の下、操作された操作キーに対応する操作信号を送信する手段である。ここで、操作信号が操作コード６１によって送信されると、当該操作信号によってビデオテープレコーダ８が操作され、操作信号が操作コード６２によって送信されると、当該操作信号によってテレビ受信装置９が操作される。
特に、操作信号送信手段７は、操作状態判定手段５２によって直接選局キー２１の操作状態がビデオテープレコーダ８における通常の選局操作状態でないと判定された場合（本実施形態では、押下状態継続時間計測手段５１１における計測時間が所定時間以上になった場合）に、操作コード格納手段６に格納されているテレビ受信装置９操作用の操作コード６２によって当該直接選局キー２１に対応する選局操作信号を送信する。
【００３０】
続いて、以上のような構成を備えるリモートコントローラ１によって行われる操作信号送信処理について説明する。
図３は、操作信号送信処理の流れを示すフローチャートである。
【００３１】
操作キー群２，３におけるいずれかの操作キーのキー入力操作が行われると、Ｓ１（Ｓはステップの意）において、キー入力手段４が、当該キー入力情報を制御手段５に入力する。
【００３２】
Ｓ２では、制御手段５が、Ｓ１にて入力されたキー入力情報に基づいて、キー入力操作が行われた操作キーが直接選局キー２１（図１参照）であるか否かを判定する。
【００３３】
キー入力操作が行われた操作キーが直接選局キー２１ではなかった場合（Ｓ２：Ｎｏ）には、Ｓ３において、操作信号送信手段７が、当該操作キーに対応する操作信号を送信する。
具体的には、キー入力操作が行われた操作キーがビデオテープレコーダ８用の操作キー群２における直接選局キー２１以外の操作キー（例えば、チャンネルアップ／ダウンキー２２，ビデオテープの再生キー）であった場合には、制御手段５が操作コード格納手段６からビデオテープレコーダ８操作用の操作コード６１を読み出し、操作信号送信手段７が当該操作コード６１によって当該操作キーに対応する操作信号を送信する。これにより、キー入力操作が行われた操作キーに対応するビデオテープレコーダ８の操作が実行される。
また、キー入力操作が行われた操作キーがテレビ受信装置９用の操作キー群３における操作キー（例えば、電源キー３１，音量アップ／ダウンキー３３）であった場合には、制御手段５が操作コード格納手段６からテレビ受信装置９操作用の操作コード６２を読み出し、操作信号送信手段７が当該操作コード６２によって当該操作キーに対応する操作信号を送信する。これにより、キー入力操作が行われた操作キーに対応するテレビ受信装置９の操作が実行される。
【００３４】
キー入力操作が行われた操作キーが直接選局キー２１であった場合（Ｓ２：Ｙｅｓ）には、Ｓ４において、制御手段５が操作コード格納手段６からビデオテープレコーダ８操作用の操作コード６１を読み出し、操作信号送信手段７が当該操作コード６１によって当該直接選局キー２１に対応する選局操作信号を送信する。これにより、ビデオテープレコーダ８におけるチャンネルが当該直接選局キー２１に対応するチャンネルに切り替えられる。
【００３５】
Ｓ５では、押下状態継続時間計測手段５１１が、直接選局キー２１の押下状態の継続時間を計測する。
Ｓ６では、押下状態継続時間判定手段５２１が、Ｓ５における計測時間を予め設定されている所定時間と比較する。
【００３６】
直接選局キー２１の押下状態が所定時間未満で終了した場合（Ｓ６：Ｎｏ）には、これ以上操作信号が送信されることはなく、操作信号送信処理は終了する。
直接選局キー２１の押下状態が所定時間以上継続した場合（Ｓ６：Ｙｅｓ）には、Ｓ７において、押下状態の継続時間が所定時間に達した時点で、制御手段５が操作コード格納手段６からテレビ受信装置９操作用の操作コード６２を読み出し、操作信号送信手段７が当該操作コード６２によって当該直接選局キー２１に対応する選局操作信号を送信する。これにより、テレビ受信装置９におけるチャンネルが当該直接選局キー２１に対応するチャンネルに切り替えられる。
【００３７】
以上のように、本実施形態のビデオテープレコーダ用リモートコントローラ１では、ビデオテープレコーダ８用の直接選局キー２１の押下状態が所定時間以上継続すると、当該直接選局キー２１に対応する選局操作信号がテレビ受信装置操作用の操作コード６２によって送信されてテレビ受信装置９における選局操作が行われるようになっている。
【００３８】
このように、本実施形態のビデオテープレコーダ用リモートコントローラ１によれば、ビデオテープレコーダ８用の直接選局キー２１によって、ビデオテープレコーダ８における選局操作のみならず、テレビ受信装置９における選局操作も行うことができる。この際、テレビ受信装置９用のチャンネルアップ／ダウンキー３４をテレビ受信装置９における選局操作のために使用する必要がないから、テレビ受信装置９の選局を迅速かつ簡単に行うことができる。
【００３９】
＜第２実施形態＞
続いて、本発明の第２実施形態を説明する。
なお、第１実施形態と共通する点については説明を省略もしくは簡素化し、特に、第１実施形態と対応する構成要素については同一符号を付して、その説明を省略もしくは簡素化する。
【００４０】
図４は、第２実施形態に係るビデオテープレコーダ用リモートコントローラ１の内部構成を示す機能的ブロック図である。
本実施形態では、操作状態検出手段５１が、時間計測手段５１２と、押下回数検出手段５１３とを備えて構成され、操作状態判定手段５２が、時間判定手段５２２と、押下回数判定手段５２３とを備えて構成されている。
【００４１】
時間計測手段５１２は、直接選局キー２１の押下操作を契機として時間の計測を行う手段である。
押下回数検出手段５１３は、同一の直接選局キー２１が連続して押下される場合の押下回数を検出する手段である。
【００４２】
時間判定手段５２２は、時間計測手段５１２によって計測される時間に基づいて、直接選局キー２１の操作状態がビデオテープレコーダ８における通常の選局操作状態であるか否かを判定する手段である。
押下回数判定手段５２３は、押下回数検出手段５１３によって検出される押下回数に基づいて、直接選局キー２１の操作状態がビデオテープレコーダ８における通常の選局操作状態であるか否かを判定する手段である。
【００４３】
このように、操作状態判定手段５２は、時間判定手段５２２，押下回数判定手段５２３によって、直接選局キー２１の操作状態がビデオテープレコーダ８における通常の選局操作状態であるか否かを判定する。
具体的には、操作状態判定手段５２は、時間計測手段５１２における計測時間が予め設定されている所定時間に達する前に直接選局キー２１の連続押下回数が予め設定されている所定回数に達すると、当該直接選局キー２１の操作状態がビデオテープレコーダ８における通常の選局操作状態ではないと判定する。
なお、「所定回数」とは、複数回数であるものとし、例えば、２回，３回などに設定することができる。
【００４４】
続いて、以上のような構成を備えるリモートコントローラ１によって行われる操作信号送信処理について説明する。
図５は、操作信号送信処理の流れを示すフローチャートである。
【００４５】
Ｓ１において直接選局キー２１のキー入力操作（押下操作）が行われると（Ｓ２：Ｙｅｓ）、Ｓ４において、ビデオテープレコーダ８操作用の操作コード６１によって当該直接選局キー２１に対応する選局操作信号が送信される。
【００４６】
Ｓ８では、時間計測手段５１２が、Ｓ１における直接選局キー２１の押下操作を契機として時間の計測を開始する。
続いて、操作状態判定手段５２は、操作キーのキー入力操作の有無を監視しながら（Ｓ９）、時間判定手段５２２によって、Ｓ８にて計測が開始された経過時間が所定時間に達したか否かを判定する（Ｓ１０）。そして、操作キーのキー入力操作が行われないまま（Ｓ９：Ｎｏ）、Ｓ８にて計測が開始された経過時間が所定時間に達すると（Ｓ１０：Ｙｅｓ）、これ以上操作信号が送信されることはなく、操作信号送信処理は終了する。
【００４７】
Ｓ９において操作キーのキー入力操作が有った場合（Ｙｅｓ）には、Ｓ１１において、制御手段５が、当該操作キーがＳ１においてキー入力操作が行われた直接選局キー２１と同一であるか否かを判定する。
両キーが同一の直接選局キー２１でない場合（Ｓ１１：Ｎｏ）には、処理はＳ２に戻り、Ｓ９においてキー入力操作が行われた操作キーが直接選局キー２１（但し、Ｓ１においてキー入力操作が行われた直接選局キー２１とは異なる）であるか否かが判定される。
両キーが同一の直接選局キー２１である場合（Ｓ１１：Ｙｅｓ）には、押下回数検出手段５１３が、当該直接選局キー２１の連続押下回数をカウントする。
【００４８】
Ｓ１２では、押下回数判定手段５２３が、Ｓ１１において押下回数検出手段５１３によってカウントされた直接選局キー２１の連続押下回数が所定回数に達したか否かを判定する。
【００４９】
直接選局キー２１の連続押下回数が所定回数に達した場合（Ｓ１２：Ｙｅｓ）には、処理はＳ７に進み、テレビ受信装置９操作用の操作コード６２によって当該直接選局キー２１に対応する選局操作信号が送信される。これにより、テレビ受信装置９におけるチャンネルが当該直接選局キー２１に対応するチャンネルに切り替えられる。
【００５０】
直接選局キー２１の連続押下回数が所定回数未満の場合（Ｓ１２：Ｎｏ）には、処理はＳ９に戻る。
そして、Ｓ８にて計測が開始された経過時間が所定時間に達する前（Ｓ１０：Ｎｏ）に、直接選局キー２１の連続押下回数が所定回数に達すれば（Ｓ１２：Ｙｅｓ）、処理はＳ７に進み、選局操作信号が送信される。
また、直接選局キー２１の連続押下回数が所定回数に達する前（Ｓ１２：Ｎｏ）に、Ｓ８にて計測が開始された経過時間が所定時間に達すれば（Ｓ１０：Ｙｅｓ）、これ以上操作信号が送信されることはなく、操作信号送信処理は終了する。
【００５１】
以上のように、本実施形態のビデオテープレコーダ用リモートコントローラ１では、ビデオテープレコーダ８用の直接選局キー２１が所定時間以内に所定回数連続して押下されると、当該直接選局キー２１に対応する選局操作信号がテレビ受信装置操作用の操作コード６２によって送信されてテレビ受信装置９における選局操作が行われるようになっている。
【００５２】
＜変形例＞
本発明は、以上で説明した実施形態によって限定されるものではなく、この実施形態を、本発明の目的を達成できる範囲内において変形したものであれば、本発明の技術的範囲に含まれる。
【００５３】
例えば、前記各実施形態では、本発明の記録装置としてビデオテープレコーダ８を、本発明の放送波受信装置としてテレビ受信装置９を設けていたが、記録装置としてはＤＶＤレコーダ，ＨＤ（Hard Disk）レコーダ等を、放送波受信装置としては放送波を受信可能なパーソナルコンピュータ等を設けてもよい。
【００５４】
また、前記実施形態では、記録装置としてのビデオテープレコーダ８におけるチャンネルを直接選択可能な直接選局キーとして、チャンネルに対応する１〜１２の数字が付された直接選局キー２１が設けられていたが、直接選局キー２１に数字を付さなくてもよい。また、数字を付す場合も、数字は１〜１２に限られず、実際のチャンネル設定に対応した数字を付せばよい。また、直接選局キーには数字に限らず、チャンネルに対応する文字を付してもよい。例えば、衛星放送のチャンネルに対応する直接選局キーには、『ＢＳ○○』（○○にはチャンネルに対応する数字が入る）という文字を付してもよい。
【００５５】
また、前記各実施形態では、テレビ受信装置９におけるチャンネル選択用にチャンネルアップ／ダウンキー３４が設けられていたが、前記各実施形態によれば、テレビ受信装置９におけるチャンネル選択を、ビデオテープレコーダ８におけるチャンネル選択用の直接選局キー２１によって行うことができるので、チャンネルアップ／ダウンキー３４は設けなくてもよい。
【００５６】
また、前記第２実施形態では、図５に示されるように、Ｓ１２においてＮｏと判定されると、処理がＳ９に進むようになっていたが、Ｓ８に進むようにしてもよい。これによれば、直接選局キー２１が押下されるごとに時間計測手段５１２の計測時間がリセットされるので、時間的に余裕を持って直接選局キー２１の連続押下操作を行うことができる。
【産業上の利用可能性】
【００５７】
本発明は、記録装置用リモートコントローラに利用することができる。
【図面の簡単な説明】
【００５８】
【図１】本発明の第１実施形態に係るビデオテープレコーダ用リモートコントローラの外観の一部を示す平面図である。
【図２】前記第１実施形態に係るビデオテープレコーダ用リモートコントローラの内部構成を示す機能的ブロック図である。
【図３】前記第１実施形態に係るビデオテープレコーダ用リモートコントローラによって行われる操作信号送信処理の流れを示すフローチャートである。
【図４】本発明の第２実施形態に係るビデオテープレコーダ用リモートコントローラの内部構成を示す機能的ブロック図である。
【図５】前記第２実施形態に係るビデオテープレコーダ用リモートコントローラによって行われる操作信号送信処理の流れを示すフローチャートである。
【符号の説明】
【００５９】
１…ビデオテープレコーダ用リモートコントローラ，２…操作キー群（ビデオテープレコーダ操作用），３…操作キー群（テレビ受信装置操作用），４…キー入力手段，５…制御手段，６…操作コード格納手段，７…操作信号送信手段，８…ビデオテープレコーダ，９…テレビ受信装置，２１…直接選局キー，２２…チャンネルアップ／ダウンキー，３１…電源キー，３２…入力切替キー，３３…音量アップ／ダウンキー，３４…チャンネルアップ／ダウンキー，５１…操作状態検出手段，５２…操作状態判定手段，６１…操作コード（ビデオテープレコーダ操作用），６２…操作コード（テレビ受信装置操作用），２２１…アップキー，２２２…ダウンキー，３３１…アップキー，３３２…ダウンキー，３４１…アップキー，３４２…ダウンキー，５１１…押下状態継続時間計測手段，５１２…時間計測手段，５１３…押下回数検出手段，５２１…押下状態継続時間判定手段，５２２…時間判定手段，５２３…押下回数判定手段。
【図１】
2007081522.tif 000003
【図２】
2007081522.tif 000004
【図３】
2007081522.tif 000005
【図４】
2007081522.tif 000006
【図５】
2007081522.tif 000007